(57)【要約】【課題】視認する角度（見る方向）を変えたり、シートを湾曲させたり等することで、装飾的意匠が発する蛍光の光り具合が変化する意匠上の付加価値が高い装飾用シート等を提供する。【解決手段】装飾用シート１は、基体シート３と、該基体シート３のシート面３２に施された蛍光を発する装飾的意匠２とを備えている。基体シート３は蛍光を発する蛍光性物質を含有する。装飾的意匠２は、スクリーン印刷により上記シート面３２に盛り上げて設けられた印刷部で構成されており、スクリーン印刷には透明または透光性を有するインク、あるいは透明または透光性を有する蛍光インクが用いられている。【選択図】図２
2007185926.tif 000002
【特許請求の範囲】
【請求項１】
基体シート(3)と、該基体シート(3)のシート面(32)に施された蛍光を発する装飾的意匠(2)とを備えており、
上記基体シート(3)は蛍光を発する蛍光性物質を含有し、
上記装飾的意匠(2)は、スクリーン印刷により上記シート面(32)に盛り上げて設けられた印刷部(20)で構成されており、スクリーン印刷には透明または透光性を有するインク、あるいは透明または透光性を有する蛍光インクが用いられていることを特徴とする、
装飾用シート。
【請求項２】
基体シート(3)と、該基体シート(3)のシート面(32)に施された蛍光を発する装飾的意匠(2)とを備えており、
上記基体シート(3)は蛍光を発する蛍光性物質を含有すると共に、該基体シート(3)を切断したまたは切った際の端面(31)または断面から発せられる蛍光によって該端面(31)または断面がシート面(32)と明確に区別できるものであり、
上記装飾的意匠(2)は、スクリーン印刷により上記シート面(32)に盛り上げて設けられた印刷部(20)で構成されており、スクリーン印刷には透明または透光性を有するインク、あるいは透明または透光性を有する蛍光インクが用いられていることを特徴とする、
装飾用シート。
【請求項３】
基体シートと、該基体シートのシート面に施された蛍光を発する装飾的意匠とを備えており、
上記装飾的意匠は、蛍光インクを用いたスクリーン印刷により上記シート面に盛り上げて設けられた印刷部で構成されていることを特徴とする、
装飾用シート。
【請求項４】
スクリーン印刷が６０〜２００メッシュのスクリーンを用いた厚盛り印刷によって行われていることを特徴とする、  
請求項１ないし３のいずれかに記載の装飾用シート。
【請求項５】
請求項１ないし４のいずれかに記載の装飾用シートが用いられていることを特徴とする、
シート製品。
【請求項６】
透明または透光性を有するインク、あるいは透明または透光性を有する蛍光インクを用いたスクリーン印刷により、蛍光を発する蛍光性物質を含有する基体シート(3)のシート面(32)に盛り上がった印刷部を形成して装飾的意匠(2)を施すことを特徴とする、
装飾用シートの製造方法。
【請求項７】
基体シート(3)は、該基体シート(3)を切断したまたは切った際の端面(31)または断面から発せられる蛍光によって該端面(31)または断面がシート面(32)と明確に区別できるものであることを特徴とする、
請求項６記載の装飾用シートの製造方法。
【請求項８】
蛍光インクを用いたスクリーン印刷により、基体シートのシート面に盛り上がった印刷部を形成して装飾的意匠を施すことを特徴とする、
装飾用シートの製造方法。
【請求項９】
スクリーン印刷を６０〜２００メッシュのスクリーンを用いた厚盛り印刷によって行うことを特徴とする、
請求項６ないし８のいずれかに記載の装飾用シートの製造方法。
【発明の詳細な説明】
【技術分野】
【０００１】
本発明は、装飾用シートとそれを使用したシート製品、及び装飾用シートの製造方法に関する。
更に詳しくは、シート面に蛍光を発する装飾的意匠が施された装飾用シートとその製造方法であって、装飾的意匠が複雑な模様で構成されている場合でも、装飾用シートを容易に且つ迅速に製作することができるようにしたものに関する。
また、視認する角度（見る方向）を変えたり、シートを湾曲させたり等することで、装飾的意匠が発する蛍光の光り具合が変化する意匠上の付加価値が高い装飾用シート等に関する。
【背景技術】
【０００２】
ポリ塩化ビニル等の合成樹脂を用いた蛍光シートは、含有する蛍光性物質の色彩を活かして、浮き輪やビーチボール等の玩具類、手帳やファイル等の文具類といった幅広い用途に使用されている。このように、近年、蛍光シートを使用した様々なシート製品が提供されているが、現在に至ってはより一層意匠上の付加価値が高い製品に対する開発要望が強い。
【０００３】
その一例として、高周波ウェルダー加工を使用することによって、蛍光材料を含有する合成樹脂フィルムに、例えばハート型のような飾り柄を施す方法が提案されている（例えば特許文献１）。
【０００４】
特許文献１によれば、まず、所望する飾り柄に従った形状を有する高周波ウェルダー加工用の金型を製作しておく。そして、この金型で合成樹脂フィルムの上面を圧縮して凹部を形成することにより、凹部で飾り柄を構成する。これにより、「圧縮された凹部では、合成樹脂フィルムに含有される顔料の単位体積当たりの蛍光顔料の密度が、圧縮されない部分に比べて高くなる。(その結果)、凹部が非凹部部分に比し蛍光輝度濃発色として顕出される。」という効果が得られると記載されている。
【特許文献１】特開平２−２８９３２９号公報
【発明の開示】
【発明が解決しようとする課題】
【０００５】
(1) 上記した特許文献１記載の製造方法は、ハート型のようなワンポイントで単純な模様を製造する場合の方法としては、金型が単純で製作コストがそれ程かからないという理由から、十分に実用的と思われる。
【０００６】
しかしながら、蛍光を発する複雑な模様（例えば多数の細い線や小さな点などで構成される模様）を形成する場合は、金型が複雑になってその製作コストも高額となるため、適していない。特に模様が大きくてその形成範囲が広い場合は、金型も必然的に大きく製作する必要があり、適していない。
【０００７】
(2) 更に、特許文献１記載の製造方法で本願発明者が飾り柄を実際に製作したところ、以下のような理由により、蛍光を発する飾り柄が有する意匠上の付加価値はあまり高いとは言えなかった。
【０００８】
即ち、特許文献１では、高周波ウェルダー加工の金型で合成樹脂フィルムを圧縮することで、飾り柄を構成する凹部を形成している。よって、上記したように、圧縮された凹部は他の部分に比べて強い蛍光を示すようにはなっている。
【０００９】
しかしながら、同じ金型による同じ圧力で凹部を圧縮形成するために、凹部における蛍光顔料の密度は本質的にどこも同じであり、その結果、凹部が発する蛍光の光り具合はどの角度から見ても殆ど変わらなかった。このため、見る角度を変えても蛍光の光り具合が変化するような面白みはなく、上記したように意匠上の付加価値があまり高いとは言えなかった。
【００１０】
（本発明の目的）
そこで本発明の目的は、シート面に蛍光を発する装飾的意匠が施された装飾用シートとその製造方法であって、装飾的意匠が複雑な模様で構成されている場合でも、装飾用シートを容易に且つ迅速に製作することができるようにすることにある。
【００１１】
また本発明の他の目的は、視認する角度（見る方向）を変えたり、シートを湾曲させたり等することで、装飾的意匠が発する蛍光の光り具合が変化する意匠上の付加価値が高い装飾用シートとそれを使用したシート製品及び装飾用シートの製造方法を提供することにある。
【課題を解決するための手段】
【００１２】
上記目的を達成するために本発明が講じた手段は次のとおりである。
なお、図面において使用した符号を括弧を用いて記載しているが、各構成要件を図面記載のものに限定するものではない。
【００１３】
本発明に係る装飾用シートは、基体シート(3)と、該基体シート(3)のシート面(32)に施された蛍光を発する装飾的意匠(2)とを備えており、上記基体シート(3)は蛍光を発する蛍光性物質を含有し、上記装飾的意匠(2)は、スクリーン印刷により上記シート面(32)に盛り上げて設けられた印刷部(20)で構成されており、スクリーン印刷には透明または透光性を有するインク、あるいは透明または透光性を有する蛍光インクが用いられていることを特徴とするものである。
【００１４】
また本発明に係る装飾用シートは、基体シート(3)と、該基体シート(3)のシート面(32)に施された蛍光を発する装飾的意匠(2)とを備えており、上記基体シート(3)は蛍光を発する蛍光性物質を含有すると共に、該基体シート(3)を切断したまたは切った際の端面(31)または断面から発せられる蛍光によって該端面(31)または断面がシート面(32)と明確に区別できるものであり、上記装飾的意匠(2)は、スクリーン印刷により上記シート面(32)に盛り上げて設けられた印刷部(20)で構成されており、スクリーン印刷には透明または透光性を有するインク、あるいは透明または透光性を有する蛍光インクが用いられていることを特徴とするものである。
【００１５】
更に本発明に係る装飾用シートは、基体シートと、該基体シートのシート面に施された蛍光を発する装飾的意匠とを備えており、上記装飾的意匠は、蛍光インクを用いたスクリーン印刷により上記シート面に盛り上げて設けられた印刷部で構成されていることを特徴とするものである。
【００１６】
本発明に係るシート製品は、上記した装飾用シートが用いられていることを特徴とするものである。
【００１７】
本発明に係る装飾用シートの製造方法は、透明または透光性を有するインク、あるいは透明または透光性を有する蛍光インクを用いたスクリーン印刷により、蛍光を発する蛍光性物質を含有する基体シート(3)のシート面(32)に盛り上がった印刷部を形成して装飾的意匠(2)を施すことを特徴とするものである。
【００１８】
また本発明に係る装飾用シートの製造方法は、蛍光インクを用いたスクリーン印刷により、基体シートのシート面に盛り上がった印刷部を形成して装飾的意匠を施すことを特徴とするものである。
【００１９】
更に本発明に係る装飾用シートの製造方法は、スクリーン印刷を６０〜２００メッシュのスクリーンを用いた厚盛り印刷によって行うことを特徴とするものである。
【発明の効果】
【００２０】
本発明は上記構成を備え、次の効果を有する。
（ａ）本発明によれば、蛍光を発する装飾的意匠が複雑な模様で構成されている場合でも、装飾用シートを容易に且つ迅速に製作することができる。
【００２１】
（ｂ）本発明によれば、視認する角度（見る方向）を変えたり、シートを湾曲させたり等することにより、装飾的意匠が発する蛍光の光り具合が変化する意匠上の付加価値が高い装飾用シートを得ることができる。
【００２２】
（ｃ）上記した装飾用シートを用いることによって、今までにはなかった鮮やかな蛍光色に富み、夜間だけでなく日中においても極めて美麗で、注目度が高く、装飾性にも優れた意匠上の付加価値が高いシート製品を得ることができる。
よって、注目度を要する看板や表示体に特に好適に使用できる。またシートが湾曲することで蛍光の光り具合が変化するので、風が当たったり人や物（車両）が接触することによってゆらゆらと揺れるような製品（例えばタペストリーや間仕切り用のカーテン等）にも好適に使用できる。
【発明を実施するための最良の形態】
【００２３】
本発明に係る装飾用シートは、基体シートと、該基体シートのシート面に施された蛍光を発する装飾的意匠とを備えている。
【００２４】
本発明にいう「装飾的意匠」としては、例えば模様や文字やイラストなどを平面的にあるいは立体的に設けたものを挙げることができるが、上記したものに限定されない。また「装飾的意匠」とは、宣伝効果を有するものも含む概念である。
【００２５】
また本明細書及び特許請求の範囲中でいう基体シートの「シート」の用語は、フィルムも含む広い概念として使用している。
【００２６】
基体シートとしては、主原料としてポリ塩化ビニル(塩化ビニル樹脂)、ポリオレフィン系樹脂、アクリル系樹脂、あるいはその他の合成樹脂等で製造されたシートが挙げられる。また基体シートの厚みは、例えば０．２〜０．５ミリ、あるいは０．２〜０．３ミリのものを好適に使用することができるが、特にこれに限定するものではない。
【００２７】
基体シートとして、蛍光を発する蛍光性物質を含有する基体シートを使用する場合は、透明または透光性を有するインク、あるいは透明または透光性を有する蛍光インクを用いたスクリーン印刷により上記シート面に盛り上げて設けられた印刷部で上記装飾的意匠を構成することができる。なお、印刷部の形状は特に限定するものではなく、端面を有するものや、球面を有するもの（例えば半球状のもの）、あるいは凹凸を有する異形状(不規則な形状）であっても良い。
【００２８】
このようにして得られた装飾用シートは、装飾的意匠を視認する角度（方向）を変えたり、装飾用シートを湾曲させたり等することで、装飾的意匠が発する蛍光の光り具合が変化する優れた光輝性を備えている。
【００２９】
この発せられる蛍光の詳細なメカニズムは明らかではないが、以下のようなことで起こるものと考えられる。
即ち、基体シートのシート面から紫外線等の外部の光が吸収されることで、基体シートに含有された蛍光性物質が鮮やかな蛍光を発する（蛍光性物質の種類によっては、外部の光によって蛍光性物質が励起し二次発光しているものと考えられる）。
更に、この蛍光が基体シートの中で反射しながら増幅し、スクリーン印刷によってシート面に盛り上げて設けられた印刷部に到達する。この印刷部は透明または透光性を有するインク、あるいは透明または透光性を有する蛍光インクを素材としているため、印刷部に到達した蛍光は印刷部を通過することができる。そして、印刷部の端部、側面部または周面部等からその面積比に応じて濃縮された強い蛍光が放出される。
このような理由から、装飾的意匠を視認する角度（方向）を変えたり、装飾用シートを湾曲させたり等することで、印刷部の端部、側面部または周面部等から発せられる蛍光が視界の中に入ったり入らなかったりして、装飾的意匠が発する蛍光の光り具合が変化すると考えられる。
【００３０】
なお、基体シートが含有する蛍光性物質（蛍光顔料）は、例えば蛍光ピンク、蛍光イエロー、蛍光ブルー、蛍光グリーンやその他の色を有する公知の蛍光性物質が好適に使用できる。
【００３１】
また基体シートとして、基体シートを切断したまたは切った際の端面または断面から発せられる蛍光によって該端面は断面がシート面と明確に区別できるものを挙げることができる。このシートを使用すれば、光輝性がより高い装飾用シートを得ることができる。
【００３２】
透明または透光性を有するインク、あるいは透明または透光性を有する蛍光インクとしては、厚盛用のクリアーインクなどの厚盛用インク、あるいはシボ・皺形成用のインク等といった機能性インク等を使用できる。
【００３３】
また透明または透光性を有するインクとしては、無色透明に限らず、色味のあるインク（着色インク）を使用することもできる。
更に、クリアーインク等のインクに、パール顔料やホログラムパウダーを添加したものを使用することにより、より面白い複雑な装飾模様を呈することが可能となる。
【００３４】
厚盛用インクを用いた厚盛り印刷によってスクリーン印刷を行う場合は、６０〜２００メッシュ（網目を構成する開口部の一辺の寸法が約０．３〜０．０７ｍｍ）のスクリーンを用いることが好ましい。
６０メッシュよりも低メッシュのスクリーンを使用すると、スクリーンの目が粗くなり過ぎて網目から出るインク量にバラツキが生じやすくなり、その結果、印刷部の膜厚が不均一になって美しい装飾的意匠が得られない傾向があるため、好ましくない。
【００３５】
２００メッシュよりも高メッシュのスクリーンを使用すると、スクリーンの目が細かくなり過ぎて印刷部の膜厚が薄くなり、その結果、印刷部のキラキラと輝く光輝性が大幅に低下する傾向があるため、好ましくない。
また２００メッシュよりも高メッシュのスクリーンを使用すると、スクリーンの目が細かくなり過ぎて蛍光性物質がスクリーンの目に詰まってしまう可能性も高くなるので、好ましくない。
【００３６】
更にスクリーンのメッシュは低い方（スクリーンの網目が粗い方）を使用すれば、印刷部の膜厚は厚くなる（図７を参照）。
図７(ａ)(ｂ)は、スクリーンのメッシュをそれぞれ変えて印刷した場合の印刷部４１，４２を側面から見た状態を示す概略説明図である。そのうち、図７(ａ)は低メッシュのスクリーンを使用することによって得られた膜厚が厚い印刷部４１を表している。また、図７(ｂ)は高メッシュのスクリーンを使用することによって得られた膜厚が薄い印刷部４２を表している。なお、符号は、基体シート５を示している。
即ち、印刷部の膜厚が厚い（図７(ａ)参照）と、装飾的意匠が発する蛍光を視認できる斜めからの角度（基体シート５のシート面との「なす角θ」）が大きくなる傾向がある。このため、キラキラと輝く光輝性をより向上させた装飾的意匠を形成したい場合は、低メッシュである６０〜９０メッシュのスクリーンを使用することが好ましく、６０〜７０メッシュのスクリーンを使用することがより好ましい。
【００３７】
更にスクリーンのメッシュは高い方が（スクリーンの網目が細かい方が）より複雑な模様（例えば多数の細い線や点等で構成された模様）からなる装飾的意匠を形成できる。したがって、複雑な模様を形成したい場合は、１１０〜２００メッシュのスクリーンを使用することが好ましく、更には１５０〜２００メッシュのスクリーンがより好ましい。
【００３８】
以上説明したように、装飾的意匠をスクリーン印刷によって得るようにすれば、上記した特許文献１に記載された高周波ウェルダー加工を採用する場合と比べて、例えば多数の細い線や小さな点等で構成されるような複雑な模様からなる装飾的意匠であっても容易に且つ迅速に製作することができる。
【００３９】
他方、基体シートとして、蛍光を発する蛍光性物質を含有しない基体シートを使用する場合は、蛍光インクを用いたスクリーン印刷により上記シート面に盛り上げて設けられた印刷部で装飾的意匠を構成することができる。
この場合の基体シートとしては透明または透光性を有するものを使用しても良いし、有色あるいは透光性を有さないものを使用することもできる。
また例えば透明な基体シートに部分的に蛍光インクをスクリーン印刷すれば、蛍光インクで形成された印刷部が印刷していない周囲の他の透明部分よりも際立ち、装飾的意匠の光輝性が向上する。
【００４０】
本発明に係る装飾用シートを使用して製造することができるシート製品としては、タペストリー、看板や表示体、シートカバー、建築テント、キャラクターグッズ商品、販促グッズ、ディスプレイ、ノベルティ、通路のアーケード素材、間仕切り用のカーテン、テーマパーク・店舗のテント、建築物内外装材、遊技機用資材、ブランド物の素材（バッグ、財布）、水着用ビニールバッグ、ビニール傘、ペンケース、浮き袋、プールに浮かべるビニールベッド、ビーチボール、ランドセルカバー、家具（ビニール、アクリル等の合成樹脂製の家具）、電化製品、オブジェ、インテリア、文房具、玩具、貴重品入れ、携帯電話カバー、履物、衣料品、帽子、手袋等の服飾品、自動販売機のコイン入れ部分及び押しボタン部分、安全スイッチ、自転車部品、火災報知器部品、産業資材、生活備品等を挙げることができる。
【００４１】
なお、スクリーン印刷によって装飾的意匠が施された基体シートに、更にカットやキズ（ヤスリ、サンドペーパー、サンドブラスト加工等）を部分的に入れ、その部分から蛍光色を発するようにして複雑な蛍光色を呈する模様を形成するようにしてもよい。
【００４２】
以下、本発明を実施例により説明するが、本発明はこれらに限定されるものではない。
【００４３】
本発明を図面に示した実施例に基づき更に詳細に説明する。
【実施例】
【００４４】
図１ないし図６は、本発明に係る装飾用シート１の一実施例を説明するための図である。
図１は、装飾用シート１の平面視説明図、
図２は、装飾用シート１の斜視説明図、
図３は、図１のI−I部分に対応する断面を示す概略説明図である。
【００４５】
なお、図１及び図２において、装飾用シート１の背面側に二点鎖線で囲むと共に有色で平面視正方形状に表したものは、机の天板や接地面等を仮想的に表した仮想ベース９を示している。この仮想ベース９は、装飾用シート１が発する蛍光（図面で白抜きで表している）がよく判別できるように表したものである。
【００４６】
この仮想ベース９は、あくまでも仮想的に図示したものであって、本実施例の装飾用シート１を構成するものではない。また仮想ベース９は、図３では装飾用シート１の下に断面で表している。この仮想ベース９については、後述する図４ないし図６についても同じである。
【００４７】
図１及び図２に示すように、装飾用シート１には、蛍光を発する装飾的意匠２が施されている。本実施例では、装飾的意匠２は、装飾用シート１の中央から放射状に点状に拡がり全体では正六角形状に施された第一意匠２１と、第一意匠２１を囲むようにして施された帯状で四角状の第二意匠２２から構成されている。
【００４８】
（装飾用シート１の製造方法）
図４は、装飾用シート１を構成する基体シート３を示す斜視説明図であり、基体シート３を湾曲させた状態で表している。
【００４９】
図４に示す基体シート３に、蛍光を発する装飾的意匠２を施すことで、図２に示す装飾用シート１を形成することができる。基体シート３は、厚みが０．３ミリのポリ塩化ビニル製の蛍光シート（色トウメイ、蛍光ピンク『Ｐ−１２７』、龍田化学株式会社製）を用いた。基体シート３は軟質のシートで、柔軟性、可撓性または変形性を有している。
【００５０】
基体シート３は、基体シート３は透視性を有している。また基体シート３はピンク色に発する蛍光性物質を含有していると共に、基体シート３の端面３１（以下、「シート端面３１」という）が強く蛍光を発する（シート端面３１が集光性を有する）。そして、基体シート３は、上記シート端面３１から発せられる蛍光によって、シート端面３１が基体シート３の表裏面（シート面３２を含む基体シート３の表裏面）と明確に区別できるものである。
【００５１】
また、基体シート３は、図示はしていないが、基体シート３を切断したまたは切った際の端面または断面から発せられる蛍光によってその端面または断面がシート面と明確に区別できるものである。
【００５２】
以下のようなスクリーン印刷によって、基体シート３に装飾的意匠２を形成した。
スクリーン印刷のインクとして、厚盛り専用のクリアーインクを用いた。このクリアーインクは、透明または透光性を有するインクである。そして、スクリーン印刷機によるスクリーン印刷により、図３の丸で囲んで示す拡大図で示すように、基体シート３のシート面３２（表面）に印刷部である凸状の盛り上げ印刷部２０を盛り上げて設けた。この盛り上げ印刷部２０によって、第一意匠２１及び第二意匠２２で構成される装飾的意匠２を形成した。
【００５３】
スクリーン印刷は６０メッシュのスクリーンを用いた厚盛り印刷で行った。上記盛り上げ印刷部の表面は、スクリーン印刷によって凹凸の形状（以下「凹凸部」という）が形成されている。
【００５４】
（作  用）
図５は、湾曲させた装飾用シート１を示す斜視説明図である。
図面を参照して、装飾用シート１の作用を説明する。
【００５５】
(1) 装飾用シート１を真上方向（平面方向）から見た場合
図１に示すように、装飾用シート１を真上方向から見ると、盛り上げ印刷部２０が基体シート３から盛り上がっていることによる外形的な理由から、上記した第一意匠２１と第二意匠２２から構成される装飾的意匠２の模様が確認できる。この模様は、装飾用シート１を斜め上方から見ても、あるいは装飾用シート１を湾曲させたり、折り曲げた状態で見ても同様に確認できる。
【００５６】
更に装飾的意匠２が発する蛍光に関しては、装飾用シート１を真上方向から見ると装飾的意匠２全体からの蛍光は確認できないが、盛り上げ印刷部２０の表面にできた凹凸部（図３参照）からは点状の蛍光が若干確認できる。
【００５７】
(2) 装飾用シート１を斜め上方から見た場合
図２に示すように、装飾用シート１を斜め上方から見ると、シート端面３１から発せられる鮮やかで強い蛍光が確認できる。
【００５８】
更には、装飾的意匠２全体からもシート端面３１と同様に、鮮やかで強い蛍光が確認できる。この装飾的意匠２から発せられる蛍光は、基体シート３から立体的に浮かび上がるようにしてはっきりと確認できる。これは、装飾用シート１を斜めから見ることによって、盛り上げ印刷部２０（図３の拡大図）の凹凸部２０１と端面である周面部２０２とから発せられる強い蛍光が、視界の中に入ることで起こると考えられる。
【００５９】
またこのシート端面３１及び装飾的意匠２全体からの強い蛍光は、装飾用シート１をほぼ真横（シート端面方向）から見たり、装飾用シート１を裏から（斜め下方）から見ても同様である。
【００６０】
この発せられる蛍光の詳細なメカニズムは明らかではないが、以下のようなことで起こるものと考えられる。
即ち、基体シート３の広いシート面３２から紫外線等の外部の光が吸収されることで、基体シート３に含有された蛍光性物質が鮮やかな蛍光を発する。更にこの蛍光が基体シート３の中で反射しながら増幅し、盛り上げ印刷部２０に到達する。この盛り上げ印刷部２０は透明または透光性を有するクリアーインクを素材としているため、盛り上げ印刷部２０に到達した蛍光は盛り上げ印刷部２０を通過することができる。そして、盛り上げ印刷部２０（図３参照）の凹凸部２０１及び周面部２０２から、その面積比に応じて濃縮（集光）された強い蛍光が放出される。
【００６１】
このような理由から、装飾的意匠２を視認する角度（方向）を変えたり、装飾用シート１を湾曲させたり等することで、盛り上げ印刷部２０の凹凸部２０１及び周面部２０２から発せられる蛍光が視界の中に入ったり入らなかったりして、装飾的意匠が発する蛍光の光り具合が変化すると考えられる。
【００６２】
(3) 装飾用シート１を湾曲させた場合
更に図５に示すように、装飾用シート１を湾曲させた状態で斜め上方から見ると、傾斜勾配が低い中央側では強い蛍光が確認されないのに対し、傾斜勾配が高い両側では鮮やかな強い蛍光が確認できる。
【００６３】
以上説明したように、視認方向を変えたり、装飾用シート１を湾曲させたり拡げたりすることにより、装飾的意匠２の光り具合が変化し、今までの蛍光シートにはなかったキラキラと輝く光輝性が見られた。
【００６４】
図６は、装飾用シート１の他の実施例を示す平面視説明図である。
また、図６に示すように、例えば「ひとの足形」、「カニ」、「雪ダルマ」といった様々な装飾的意匠２ａでも、スクリーン印刷により容易に且つ迅速に製作することができる。
【００６５】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００６６】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００６７】
【図１】装飾用シート１の平面視説明図。
【図２】装飾用シート１の斜視説明図。
【図３】図１のI−I部分に対応する断面を示す概略説明図。
【図４】装飾用シート１を構成する基体シート３を示す斜視説明図。
【図５】湾曲させた装飾用シート１を示す斜視説明図。
【図６】装飾用シート１の他の実施例を示す平面視説明図。
【図７】スクリーンのメッシュをそれぞれ変えて印刷した場合の印刷部４１，４２を側面から見た状態を示す概略説明図。
【符号の説明】
【００６８】
１，１ａ  装飾用シート
２，２ａ  装飾的意匠
２０  印刷部
２０１  凹凸部
２０２  周面部
２１  第一意匠
２２ 第二意匠
３  基体シート
３１  シート端面
３２  シート面
４１，４２  印刷部
５ 基体シート
９  仮想ベース
【図３】
2007185926.tif 000003
【図７】
2007185926.tif 000004
【図１】
2007185926.tif 000005
【図２】
2007185926.tif 000006
【図４】
2007185926.tif 000007
【図５】
2007185926.tif 000008
【図６】
2007185926.tif 000009